(57)【要約】      （修正有）【課題】植木鉢を載置しても安定性があり、設置場所を取らず、他の部材と組み合わせて使用することもできる鉢受スタンドを提供する。【解決手段】盤状の鉢受部３と、鉢受部３の外縁４から下方に延出する垂下部５と、先端が鉢受部３の外縁４から径方向外方に向かって折曲されてなる支持部６と、支持部６の先端が上方に延出されてなる突出部７が、一組の金属製の線材により一体となって形成されている脚体２と、により構成されてなる鉢受スタンド１である。この鉢受スタンド１を上下反転させて突出部７を下方に向けて支持部６を脚高支持部の支持環の上端に取り付けることにより脚高鉢受スタンドを形成することができる。【選択図】図１
0003234740.tif 000002
【実用新案登録請求の範囲】
【請求項１】
盤状の鉢受部と、
前記鉢受部の外縁から下方に延出してなる複数の脚体と、
前記脚体の先端が前記鉢受部の外縁から径方向外方に向かって折曲されてなる支持部と、
前記支持部の先端部が上方に折曲されてなる突出部と、を備える
ことを特徴とする鉢受スタンド。
【請求項２】
前記脚体が、前記鉢受部の外縁から互いに平行に延出してなる一組の線材によって形成されてなる
ことを特徴とする請求項１に記載の鉢受スタンド。
【請求項３】
接地面に接する基底部と、
前記基底部から、上方に向かって立設された脚部と、
前記脚部の上端が接合されてなる支持環と、を有する脚高支持部を備え、
請求項１又は２に記載の鉢受スタンドが前記支持環の上端に、前記突出部を下方に向けて前記支持部を掛け止められると共に、
前記鉢受部が前記基底部と前記支持環との高さ中央位置に配置される
ことを特徴とする脚高鉢受スタンド。
【考案の詳細な説明】
【技術分野】
【０００１】
本考案は、主として園芸用の植木鉢を支持するための鉢受スタンドである。
【背景技術】
【０００２】
従来の園芸等に使用される植木鉢は、プランターを用いて直接地面に接地するか鉢受棚に並べて植木鉢を配置するというものであった。この場合、根腐れが生じることや、安定性に欠けるという問題があった。これらに鑑みて、植木鉢を載せる台部と、該台部と床面との間に空間を設けて支持する下部を拡げた支持脚とを備えたことを特徴とする植木鉢台がある。
【先行技術文献】
【特許文献】
【０００３】
【特許文献１】実開平６−０４１５６６号公報
【考案の概要】
【考案が解決しようとする課題】
【０００４】
しかし、前記構造では、空間を設けて支持する下部を拡げた支持脚を備えているため横幅が大きくなり植木鉢台を設置するための場所をとる。また、支持脚の端部にはゴムが当着されているため安定して植木鉢を置くことができるとしているが、ゴムが劣化することも考えられゴムの取り換えが面倒であるし、ゴムが当着されていても脚体の端部と接地面との接触面が小さく不安定である。さらには、このような植木鉢台は植木鉢を載置するという限定された用途にのみ使用でき他の部材と組み合わせて使用することができない。
【課題を解決するための手段】
【０００５】
そこで、上記課題を解決するための手段として本考案は盤状の鉢受部と、前記鉢受部の外縁から下方に延出してなる複数の脚体と、前記脚体の先端が前記鉢受部の外縁から径方向外方に向かって折曲されてなる支持部と、前記支持部の先端部が上方に折曲されてなる突出部と、を備える鉢受スタンドを提供する。
【０００６】
前記脚体は、前記鉢受部の外縁から互いに平行に延出してなる一組の金属製の線材によって形成されてなることとしてもよい。
【０００７】
前記脚体は、前記鉢受部の外縁から下方に延出する垂下部と、前記垂下部の先端が前記鉢受部の外縁から径方向外方に向かって折曲されてなる支持部と、前記支持部の先端部が上方に延出されてなる突出部により構成されていることとしても良い。
【０００８】
接地面に接する基底部と、前記基底部から、上方に向かって立設された脚部と、前記脚部の上端が接合されてなる支持環と、を有する脚高支持部の前記支持環の上端に、前記鉢受スタンドの前記突出部を下方に向けて前記支持部を掛け止められることができることとしてもよい。この構成により鉢受スタンドが脚高支持部に取り付けられて脚高鉢受スタンドを形成する。このとき、前記鉢受部が前記基底部と前記支持環との高さ中央位置に配置されることが好ましい。
【考案の効果】
【０００９】
以上説明したように、垂下部と支持部と突出部とにより一体形成されている脚体の形状により、鉢受スタンドの安定性の向上を実現することができる。さらに、脚体を設け、鉢受部を線材により形成することで、鉢受部に風が通りやすくなると共に鉢受部と地面との間に空間が設けられ、鉢受部の通気性が向上し根腐れを防止することができる。
【図面の簡単な説明】
【００１０】
【図１】鉢受スタンド１を示す斜視図
【図２】鉢受スタンド１の正面を示す図
【図３】鉢受スタンド１平面を示す図
【図４】鉢受スタンド１の鉢受部３に植木鉢３０を載置した様子を示す図
【図５】脚高支持部８に鉢受スタンド１を取り付けた脚高鉢受スタンド１０を示す図
【図６】脚高鉢受スタンド１０に植木鉢３０を載置した様子を示す図
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する。
【００１２】
鉢受スタンド１は、図１に示すように、盤状の鉢受部３と、前記鉢受部３の外縁４から下方に延出してなる複数の脚体２と、前記脚体２の先端が前記鉢受部３の外縁４から径方向外方に向かって折曲されてなる支持部６と、前記支持部６の先端が上方に折曲されてなる突出部７とを備える。
【００１３】
前記鉢受部３は、線材により構成されているが、板材により構成されていてもよい。線材により構成される場合には、鉢受部３の載置面３ｂは、複数の線材が鉢受部３の周縁上の一点から他点に架け渡すように形成されてなることが好ましい。このような構成により鉢受部３には複数の線材が張設され、複数の線材同士が模様を形成するものとしてもよい。また、架け渡し状に張設された複数の線材同士に隙間３ａが設けられることとなり、その隙間３ａを空気が通過する。隙間３ａが鉢受部３の通気口となり、さらには模様を形成する場合には外観において美観を生ずる。また、板材により構成されることとしても良い。
【００１４】
さらに、鉢受部３を板材にした場合に、貫通孔を設けることとしてもよく、この貫通孔を通して空気が通過する。このように鉢受部３が形成されることにより、鉢受部３に植木鉢３０を載置した場合においても線材により形成される模様の隙間３ａや貫通孔によって、植木鉢３０に空気が通りやすくなり根腐れを防止できる。
【００１５】
脚体２は、鉢受部３の外縁４から下方に延出する垂下部５と、垂下部５の先端が鉢受部３の外縁４から径方向外方に向かって折曲されてなる支持部６と、支持部６の先端部が上方に延出されてなる突出部７により構成されている。脚体２が設けられることにより鉢受スタンド１を接地する接地面と植木鉢３０の底面との間に空間が設けられ、接地面と植木鉢３０の底面との接触を防止することができる。
【００１６】
図２に示すように、脚体２は鉢受部３の外縁４から下方に向かって互いに平行して延出してなる一組の金属製の線材により設けることとしても良い。
【００１７】
脚体２は、鉢受部３の外縁４から下方に延出する垂下部５と、垂下部５の先端が鉢受部３の外縁４から径方向外方に向かって折曲されてなる支持部６と、支持部６の先端が上方に延出されてなる突出部７が、一組の金属製の線材によって構成され、一体となって形成されている。
【００１８】
図２に示すように、脚体２は外縁４の下辺に垂下部５の基端が接着されることにより形成されていてもよく、外縁４の側辺から垂下部５の基端が延出されることにより形成されていてもよい。
【００１９】
垂下部５と支持部６と突出部７により一体として形成されてなる脚体２は、図２に示すように、鉢受部３の外縁４から下方に向かって互いに平行している線材同士の左右中心に沿って示された一点鎖線を対称軸ｘとして、線対称に設けられていることとしてもよい。このように構成することで、脚体２への荷重が均等に支持部６にもかかるため、鉢受スタンド１の安定性や鉢受部３の荷重に対する耐久性が向上する。また、他の脚体２においても同様の形状を有する。
【００２０】
垂下部５と支持部６と突出部７により一体として形成されてなる脚体２は、角型の鉤状であることとしてもよい。角型の鉤形状であることにより支持部６が垂下部５の先端部から水平に延出され、支持部６の接地面に接触する面積が広範囲になり、鉢受スタンド１を設置した際の状態が安定する。
【００２１】
図５に示すように、鉢受スタンド１は、接地面に接する基底部２０と、基底部２０から、上方に向かって立設された脚部２１と、脚部２１の上端が接合されてなる支持環２２と、を有する脚高支持部８を備え、突出部７を下方に向けて支持部６を支持環２２の上端に掛け止められることにより脚高鉢受スタンド１０を形成することとしてもよい。このとき、鉢受スタンド１の鉢受部３が脚高支持部８の基底部２０と支持環２２との高さ中央位置に配置されることが好ましい。ここで高さ中央位置とは、脚高支持部８の基底部２０と脚高鉢受スタンド１０の支持環２２との間における空間内をいう。
【００２２】
さらに、鉢受スタンド１を脚高支持部８に取り付けるために、垂下部５は脚高支持部８の脚部２１よりも短く形成されていることが好ましい。このような構成にすることで鉢受スタンド１の鉢受部３を高さ中央位置に収めることができる。
【００２３】
鉢受スタンド１の脚体２は、鉢受スタンド１を上下反転し、鉢受部３を支持環２２の開口部に上方から挿し入れ、突出部７を下方に向けて支持部６を脚高支持部８の支持環２２の上端に掛止することができる。この時、支持部６が脚高支持部８の支持環２２に当接する。さらに、鉢受スタンド１が左右に動いた場合に、突出部７は支持環２２に当接され、鉢受スタンド１が脚高支持部８から落下しないように係止される。このように、脚体２はフックとしての機能も有する。
【００２４】
このように、鉢受スタンド１を脚高支持部８に掛止可能であることから鉢受部３に植木鉢３０を載置することのみならず、脚高支持部８に鉢受スタンド１を取り付けて脚高鉢受スタンド１０として使用することができる。
【００２５】
図５に示すように、脚高支持部８の基底部２０は、脚体２の下端が接合されてなる部分に径方向内方に向かって窪んだ窪み部２３を有することとしてもよい。この窪み部２３は、脚体２が接合されてなる箇所に設けられていることが好ましいが、基底部２０の周縁のいずれに設けられていてもよい。基底部２０の脚体２が接合されてなる部分に窪み部２３があることで脚体２と窪み部２３に指を引っ掛けやすくなり、より容易に持ち上げることができる。例えば、中指を窪み部２３に引っ掛けて親指と人差し指で脚部２１を挟み込む。このように、基底部２０の窪み部２３に指をかけて脚部２１を持つことで力が入りやすく、窪み部２３が設けられていない場合よりも滑らない。これにより、窪み部２３が設けられていない場合と比べて、子供や女性でも鉢受スタンド１を脚高支持部８に取り付けた脚高鉢受スタンド１０の持ち運びが容易になる。
【００２６】
図５に示すように、支持環２２は円形形状であるが、例えば矩形形状であってもよい。脚部２１の上端には、支持環２２の径方向外方から中央部に向かって傾斜する屈曲部２４が形成されてなる。このように脚部２１の上端に屈曲部２４が形成されることから、脚体２の突出部７と脚部２１の上端との間に空間を形成する。これにより、支持環２２に植木鉢３０をはめ込んだ場合でも突出部７と脚部２１の上端が当接することなく支持環２２のどの位置においても鉢受スタンド１を掛止させることができる。
よって、どのような支持環２２の形状であっても鉢受スタンド１の取り付け位置が制限されることがない。
【００２７】
さらに、図５に示すように、支持環２２の外周から径方向中心までの距離は、基底部２０の外周から径方向中心までの距離よりも短い。支持環２２の直径が基底部２０の直径よりも短く、基底部２０の直径が支持環２２の直径よりも大きくなる。これにより、鉢受スタンド１に植木鉢３０を載置しても、脚高支持部８の直径が大きい基底部２０が全体を支えることとなり、脚高支持部８から荷重が基底部２０の径方向の内方に加わることで安定性を保つことができる。
【００２８】
よって、図４及び図６に示すように、鉢受スタンド１の鉢受部３に植木鉢３０を載せて利用した場合や、鉢受スタンド１の脚体２を脚高支持部８の支持環２２に掛止し、鉢受部３に植木鉢３０を載せて利用した場合でも、安定性を有するため鉢受スタンド１や脚高鉢受スタンド１０の転倒を防止できる。
【００２９】
以下に、鉢受スタンド１の使用例を説明する。
【００３０】
（使用例１）
図４に示すように、鉢受スタンド１の鉢受部３の載置面３ｂに植木鉢３０を載置することができる。
【００３１】
（使用例２）
図５に示すように、脚高支持部８の支持環２２に鉢受スタンド１を取り付ける際には、図１に示す鉢受スタンド１を上下反転させて、鉢受部３を支持環２２の開口部に上方から挿し入れ、支持環２２の上端に脚体２を掛止させる。このように、鉢受けスタンド１を脚高支持部８に取り付けて、脚高鉢受スタンド１０として使用することができる。この時、脚体２はフックとして機能し、脚体２を構成する突出部７を下方に向けて支持部６を支持環２２の上端に掛け止めることで、鉢受部３は基底部２０と支持環２２との高さ中央位置に配置される。そして、図６に示すように鉢受スタンド１の鉢受部３の載置面３ｂと反対の面に植木鉢３０を載置する。
【００３２】
また、突出部７は鉢受スタンド１の脚体２を支持環２２の上端に掛け止めた時、係止部として機能する。鉢受スタンド１の脚体２の長さが長い場合には、鉢受部３は基底部２０に近い位置に配置され、脚体２の長さが短い場合には、鉢受部３は支持環２２に近い位置に配置される。脚体２の長さによっては、高さの高い鉢や高さが低い鉢を適宜載置することもできる。
【００３３】
なお、本考案の鉢受スタンド１の使用例は、上記実施例の構成に限らず、適宜変更可能である。
【００３４】
さらに、鉢受スタンド１や脚高支持部８は、線材から構成ことが好ましいが、例えば鉢受部３を合成樹脂にするなど全部または一部が線材で構成されていてもよく、他の資材で構成されていてもよい。
【符号の説明】
【００３５】
１  鉢受スタンド
２  脚体
３  鉢受部
３ａ  隙間
３ｂ  載置面
４  外縁
５  垂下部
６  支持部
７  突出部
８  脚高支持部
１０  脚高鉢受スタンド
２０  基底部
２１  脚部
２２  支持環
２３  窪み部
２４  屈曲部
３０  植木鉢
【図１】
0003234740.tif 000003
【図２】
0003234740.tif 000004
【図３】
0003234740.tif 000005
【図４】
0003234740.tif 000006
【図５】
0003234740.tif 000007
【図６】
0003234740.tif 000008